(57)【要約】      （修正有）【課題】  うちわで自分自身の顔を扇ぐことで涼しくするという機能とともに、音や光を出して応援できる新規なうちわ を提供する。【解決手段】  本発明のうちわは、柄部１１２と、柄部の一方の端部に接合された第１扇体の骨格１１４と、一方の端部に接合された第２扇体の骨格１１６と、第１扇体の骨格の表面に貼着した第１扇面板１１８と、第２扇体の骨格の表面に貼着した第２扇面板１２０とを備えている。さらに、本発明のうちわは、扇いだ際に第２扇体の骨格が曲がったことを検知する検知スイッチ１４０と、スピーカ１３６又は発光源１３８とを有してもよい。【選択図】  図２
2007068837.tif 000002
【特許請求の範囲】
【請求項１】
柄部と、該柄部の一方の端部に接合された第１扇体の骨格と、前記柄部又は前記第１扇体の骨格の一部に接合された第２扇体の骨格と、前記第１扇体の骨格の表面に貼着した第１扇面板と、前記第２扇体の骨格の表面に貼着した第２扇面板と、を備えていることを特徴とするうちわ。
【請求項２】
前記第１扇体の骨格と第２扇体の骨格とは、前記第１扇面板を扇ぐ
方向に一定角度を有して接合されていることを特徴とする請求項１に記載のうちわ。
【請求項３】
前記第２扇体の骨格は、前記第１扇体の骨格に比して曲がりやすくなっていることを特徴とする請求項１または請求項２に記載のうちわ。
【請求項４】
前記柄部に設けられた電源と、扇いだ際に前記第２扇体の骨格が曲がったことを検知する検知スイッチと、前記第１扇体又は第２扇面板に設けられた発光源とをさらに備え、
前記第２扇体の骨格が曲がった際に、前記発光源が発光することを特徴とする請求項１ないし３のいずれか一項に記載のうちわ。
【請求項５】
前記柄部に設けられた電源と、扇いだ際に前記第２扇体の骨格が曲がったことを検知する検知スイッチと、前記うちわに設けられたスピーカとをさらに備え、
前記第２扇体の骨格が曲がった際に、前記スピーカが音を発することを特徴とする請求項１ないし３のいずれか一項に記載のうちわ。
【請求項６】
さらに音楽又は音声を記憶した記憶装置を備え、前記第１扇体板と前記第２扇体板とが接触した際に、前記スピーカから前記記憶装置に記憶された音楽又は音声を発することを特徴とする請求項５に記載のうちわ。
【発明の詳細な説明】
【技術分野】
【０００１】
本発明は、玩具、販促用商品又はスポーツ観戦等の応援に用いられるうちわ に関するものである。
【背景技術】
【０００２】
スポーツ観戦又はコンサート等の際には、手拍子したり拍手したりしてチーム又は歌手等を応援したりする。また、夏に行われるスポーツ観戦又は野外コンサート等では、涼しく観戦したい又は演奏を聴きたいという要求も強い。そのため、うちわを持参してスポーツ観戦又は野外コンサートを聴きながら、時にはうちわで自分自身の顔を扇ぎ、時には一方の手に持ったうちわの扇面板と他方の手とを合わせて、手拍子したり拍手したりして応援している。
【０００３】
【特許文献１】特開平８−２５２１０８号公報
【発明の開示】
【発明が解決しようとする課題】
【０００４】
実際にうちわで自分自身の顔を扇ぐことで涼しくするという機能とともに、音や光を出して応援できる新規なうちわ を提供することにある。音や光を出すことができるうちわは、スポーツ観戦の応援で使用するだけでなく、玩具又は販促用商品として、子供から大人まで興味をそそる。そのようなうちわを提供することである。
【課題を解決するための手段】
【０００５】
上記課題を解決するため、本発明のうちわは、柄部（１２，１１２）と、該柄部の一方の端部に接合された第１扇体の骨格（１４、１１４）と、前記一方の端部に接合された第２扇体の骨格（１６、１１６）と、第１扇体の骨格の表面に貼着した第１扇面板（１８、１１８）と、第２扇体の骨格の表面に貼着した第２扇面板（２０、１２０）とを備えている。
【０００６】
また、本発明のうちわは、扇いだ際に第２扇体の骨格が曲がったことを検知する検知スイッチ（１４０）と、スピーカ（１３６）又は発光源（１３８）とを有する。
【０００７】
上述の構成からなるうちわ は、扇ぐたびに第２扇体板が揺動してパタパタと音 を発する。また、第２扇体板を支える第２扇体の骨格は、第１扇体の骨格に比して曲がりやすくなっている。プラスチック製の骨の場合には丈夫であり、また第１および第２扇体の骨格を一体で成形できる。
【０００８】
第２扇体板が第１扇体板に当たるところにスイッチを設けたうちわは、第２扇体板がうちわ 本体に接触する際に、うちわに設けられた発光体が光ったり又はスピーカがなったりして、応援を楽しむことができる。
【発明を実施するための最良の形態】
【０００９】
以下、図面を参照して本発明の実施例を説明する。
【００１０】
図１（ａ）及び（ｂ）において、うちわ１０は、柄部１２、薄い多数の放射骨を有する第１扇体の骨格１４および  多数の放射骨に紙又はプラスチックフィルムが貼られた第１扇面板１８を有する。さらに、うちわ１０は、第１扇体の骨格１４（放射骨の一部）に第２扇体の骨格１６が接合しており、第２扇体の骨格１６の放射骨（不図示）に、紙又はプラスチックフィルムが貼られた第２扇面板２０を有する。第２扇体の骨格１６は柄部１２に接合してもよい。
【００１１】
うちわ１０の骨格は、ポリプロピレン、ＡＢＳ又はアクリル樹脂等のプラスチック材質から成形される。もちろん、竹又は木材で形成されていてもよい。プラスチック材質に場合には、柄部１２、第１扇体の骨格１４及び第２扇体の骨格１６を一体に成形することができる。また、それぞれが別個の部材でできており、接着剤又はネジ等で固定してもよい。本件明細書では、一体成形及び接着剤等で固定を含めて「接合」という言葉で定義する。
【００１２】
図１（ｂ）を参照すると容易に理解できるように、第１扇体の骨格１４と第２扇体の骨格１６とは、一定角度を持って接合しているため、第１扇面板１８と第２扇面板２０とが所定距離だけ離れた状態になっている。第２扇体の骨格１６は、第１扇体の骨格１４よりも幅が細くなっており、柄部を手で持って扇ぐと、第１扇体の骨格１４よりもより曲がりやすくなっている。
【００１３】
そのため、通常の力でうちわ１０を扇ぐときには、第１扇面板１８と第２扇面板２０とが互いにぶつかりあって音がでることはないが、勢いよくうちわ１０を扇ぐときには、第２扇面板２０が第１扇面板１８にぶつかって、音が鳴る。
【００１４】
玩具、販促用商品用のうちわ１０であれば、第１扇面板１８と第２扇面板２０との絵柄を工夫すれば、人の興味をそそることができる。例えば、第１扇面板１８にサッカー靴の絵柄を描き、第２扇面板２０にサッカーボールの絵柄を描けば、勢いよくうちわ１０を扇ぐ毎に、サッカーボールを蹴ったようなイメージを湧かせることができる。
【００１５】
なお、図１では、第１扇面板１８と第２扇面板２０とが異なる大きさであったが、同じ大きさでもよい。例えば、柄部１２に第２扇体の骨格１６を接合し、且つ柄部１２に第２扇体の骨格１６との間が曲がりやすくすれば、上述したと同様に音を鳴らすことができる。
【００１６】
図２（ａ）及び（ｂ）は、別の実施例である。うちわ１００は、柄部１１２、薄い多数の放射骨を有する第１扇体の骨格１１４および  多数の放射骨に紙又はプラスチックフィルムが貼られた第１扇面板１１８を有する。さらに、うちわ１００は、第１扇体の骨格１１４（放射骨の一部）に第２扇体の骨格１１６が接合しており、第２扇体の骨格１１６の放射骨（不図示）に、紙又はプラスチックフィルムが貼られた第２扇面板１２０を有する。うちわ１００では、第２扇体の骨格１１６は柄部１１２に接合している。
【００１７】
柄部１１２には、電源１３２をオンオフする電源スイッチ１３０、ＬＥＤなどの発光源を点滅させたりするプログラムを備えたメモリ、音楽又は音声を記憶するメモリ等を備えた制御基板１３４と、音楽又は音声を出すスピーカ１３６が設けられている。
【００１８】
第１扇面板１１８には、ＬＥＤなどの発光源１３８が設けられている。発光源１３８は、第２扇面板１２０に設けても良いし、両方に設けても良い。また、第１扇体の骨格１１４又は第２扇体の骨格１１６には、扇いだときに、第２扇体の骨格１１６が曲がったことを検知する検知スイッチ１４０が設けられている。検知スイッチ１４０は、近接スイッチ、接触スイッチ、圧力スイッチ又は光電スイッチなどを使用することができる。
【００１９】
図２（ｂ）から理解できるように、第１扇体の骨格１１４と第２扇体の骨格１１６とは、一定角度を持って接合し、第１扇面板１１８と第２扇面板１２０とが所定距離だけ離れた状態になっている。
【００２０】
図３及び図４は、第１扇体の骨格１１４及び第２扇体の骨格１１６である。それぞれの骨格の端部には、柄部１１２とともにネジ止めするためのネジ孔が形成されている。
【００２１】
第２扇体の骨格１１６は、第１扇体の骨格１１４よりもより曲がりやすくなっている。電源スイッチ１３０をオン状態にしてうちわ１００を扇ぐと、第２扇体の骨格１１６が曲がったことを検知スイッチ１４０が検知する。検知スイッチ１４０からの信号によって、ＬＥＤ１３８が点灯する。また、スピーカ１３６から音声等が一定期間流れたりする。不図示の切替スイッチによって、検知スイッチ１４０からの信号で、ＬＥＤ１３８のみを点灯させたり、スピーカ１３６から音声等を流したり、又はＬＥＤ１３８の点灯とスピーカ１３６から音声等とを同時に発生させてもよい。
【００２２】
ホタルを見に行くときには、うちわ１００を扇ぐことでＬＥＤ１３８を点灯させたりすることができる。ＬＥＤ１３８の配置によっては花火をイメージさせることができ、うちわ１００を扇ぐ毎に、うちわ面で花火が上がる。サッカー又は野球などの試合用に、ひいきのチームを応援する音声をメモリに記憶させておけば、うちわ１００を扇ぐ毎に、「ガンバレ」の音声が発生させることができる。
【図面の簡単な説明】
【００２３】
【図１】本発明の第１実施例であるうちわを示し、（ａ）は平面図、（ｂ）は側面図である。
【図２】本発明の第２実施例であるうちわを示し、（ａ）は平面図、（ｂ）は側面図である。
【図３】第２実施例の第１扇体の骨格図である。
【図４】第２実施例の第２扇体の骨格図である。
【符号の説明】
【００２４】
１２、１１２  柄部
１４、１１４  第１扇体の骨格
１６、１１６  第２扇体の骨格
１８、１１８  第１扇面板
２０、１２０  第２扇面板
１３４  制御基板
１３６  スピーカ
１３８  ＬＥＤ
１４０  検知スイッチ
【図１】
2007068837.tif 000003
【図２】
2007068837.tif 000004
【図３】
2007068837.tif 000005
【図４】
2007068837.tif 000006